(57)【要約】【課題】操作レバーの引き絞りによる十分なかしめを生ずるまでは、マンドレル支持体のつまみヘッドを回転することができないねじ付きリベットかしめ工具を得る。【解決手段】本考案ねじ付きリベットかしめ工具２１の操作レバー３は、ばね負荷によって工具本体２内の案内スリーブを前方に押圧する。案内スリーブに対して相対回転自在に取り付けることができるマンドレル支持体５に、ねじ付きリベットを装着する雄ねじ付きマンドレル４を固定する。マンドレル支持体５の後端のつまみヘッド１６は断面が非円形形状とし、工具本体２の後部開口を通過するようにする。ばね力に抗して操作レバーを回転させない初期状態では、案内スリーブとともにつまみヘッド１６の大部分が後部開口を経て工具本体内に引き込まれた状態となり、ばね力に抗して操作レバーのほぼ全行程にわたり回転させたときのみつまみヘッド全体が後部開口から抜け出て回転可能にする。【選択図】図３
0003103654.tif 000002
【実用新案登録請求の範囲】
【請求項１】
先端部分の内面に雌ねじ部を有するねじ付きリベットを適用プレートの取付孔に差し込んでこの適用プレートにかしめによって固定するための工具であって、
工具本体と、
前記工具本体内に摺動自在に設けた案内スリーブと、
前記工具本体に対して枢軸の周りに回動可能に連結した操作レバーであって、平素はばね負荷によって前記案内スリーブを前方に押圧し、またばね力に抗して前記工具本体に接近させるよう引き絞って前記枢軸の周りに回転することにより前記案内スリーブを後方に後退させる操作レバーと、
前方端部を前記ねじ付きリベットの雌ねじ部にねじ込むことができる雄ねじ付きマンドレルと、
前記案内スリーブに対して相対回転自在に取り付けることができるマンドレル支持体であって、先端に前記雄ねじ付きマンドレルの後方端部を固定することができ、後端にこのマンドレル支持体を回転するのを容易にするつまみヘッドを設けたマンドレル支持体と
を具え、前記工具の前方に突出する雄ねじ付きマンドレルの前方端部を前記工具本体の前方ノーズ部から前方に突出させ、前記雄ねじ付きマンドレルの前方突出量を調整自在に設定可能にし、前記マンドレル支持体のつまみヘッドを前記工具本体の後部開口から突出させたねじ付きリベット固定工具において、
前記マンドレル支持体のつまみヘッドを断面が非円形の形状のものとし、前記後部開口も前記非円形形状より僅かに大きい相似形状に形成し、ばね力に抗して前記操作レバーを回転させない無負荷初期状態では、前記案内スリーブとともにつまみヘッドの大部分が前記後部開口を経て前記工具本体内に引き込まれた状態となり、ばね力に抗して操作レバーのほぼ全行程にわたり回転させたときのみ、つまみヘッド全体が前記後部開口から抜け出るようにした
ことを特徴とするねじ付きリベットかしめ工具。
【請求項２】
前記工具本体、操作レバー及びつまみヘッドをフッ素樹脂コーティングした請求項１記載のねじ付きリベットかしめ工具。
【考案の詳細な説明】
【技術分野】
【０００１】
本考案は、先端部分の内面に雌ねじ部を有するねじ付きリベットを適用プレートの孔に差し込んでこの適用プレートにかしめによって固定するためのねじ付きリベットかしめ工具に関するものである。
【背景技術】
【０００２】
図１に示すように、このようなねじ付きリベットかしめ工具１は、一般的に「ハンドナッター」と称され、基本的に、工具本体２と、工具本体２に対して枢軸の周りに回動可能に連結した操作レバー３とを有している。（例えば、非特許文献１参照。）
【非特許文献１】"ＡＰハンドナッター"、[online]、（株）ワールドツール(World Tool Co.,Ltd)／アストロプロダクツのオンラインカタログ、［平成１６年２月２５日検索］、＜ＵＲＬ：http://www.astro-p.co.jp/item/item8/item-8-bankintosou7.htm＞
【０００３】
また、工具本体２内には案内スリーブ１３（図４参照）を摺動自在に設ける。操作レバー３は、平素はばね負荷によって案内スリーブを前方に押圧し、またばね力に抗して工具本体２に接近させるよう引き絞って枢軸の周りに回転することにより案内スリーブを後方に後退させる作用を行う。
【０００４】
ねじ付きリベットかしめ工具１は、更に、前方端部をねじ付きリベットの雌ねじ部にねじ込むことができる雄ねじ付きマンドレル４と、案内スリーブに対して相対回転自在に取り付けることができるマンドレル支持体５とを有する。マンドレル支持体５は、先端に雄ねじ付きマンドレル４の後方端部を固定することができ、後端にこのマンドレル支持体５を回転するのを容易にするつまみヘッド６を設ける。
【０００５】
更に、一般的なねじ付きリベットかしめ工具１は、工具の前方に突出する雄ねじ付きマンドレル４の前方端部を工具本体の前方ノーズ部７から前方に突出させ、雄ねじ付きマンドレル４の前方突出量をノーズピース７Ａによって調整自在に設定可能にする。また、マンドレル支持体５のつまみヘッド６を工具本体２の後部開口から後方に突出させる。
【０００６】
このようなねじ付きリベットかしめ工具１、いわゆる「ハンドナッター」は、使用にあたり、図２（ａ）に示すように、雄ねじ付きマンドレル４の前方端部にアルミ製のねじ付きリベット８をねじ付けて適用プレート９に予め形成した取付孔１０に挿入する。
【０００７】
このようにセットした状態で操作レバー３を図示しないばねのばね負荷に抗して引き絞って回転させると、案内スリーブ１３（図４参照）とともにマンドレル支持体５が、工具本体２の後方、即ち、前方ノーズ部７の内部に引っ込む。このとき、マンドレル支持体５に取り付けた雄ねじ付きマンドレル４は、取付孔の表側に引き寄せられ、ねじ付きリベット８の雌ねじが形成されていない薄肉中間部分８Ｂは図２（ｂ）に示すようにかしめられる。これにより、かしめられた中間部分８Ｂとリベットフランジ８Ａとによりねじ付きリベット８は適用プレート９に強固に固着される。
【０００８】
この後、つまみヘッド６を回転することによって、図２（ｃ）に示すように、雄ねじ付きマンドレル４を固着されたねじ付きリベット８から外す。このようにして、図２（ｄ）に示すように、被取付物１１を、ねじ付きリベット８のリベットフランジ８Ａに当接し、ねじ付きリベット８に適合するボルトまたはねじ１２によりねじ付けることができる。
【考案の開示】
【考案が解決しようとする課題】
【０００９】
しかし、従来のいわゆる「ハンドナッター」は、かしめが不十分な状態でもつまみヘッド６を回転することができる。かしめが不十分な状態で、つまみヘッド６を回転してねじ付きリベット８から雄ねじ付きマンドレル４を外してしまう場合、ねじ付きリベット８は適用プレート９に強固に固着されないことになる。この状態でボルトまたはねじ１２によって被取付物１１を固定しようとすると、ねじ付きリベット８はボルトまたはねじ１２と一緒に共回りし、ボルトまたはねじ１２による締め込みが不能になってしまう。
【００１０】
従って、本考案の目的は、操作レバーの引き絞りによる十分なかしめを生ずるまでは、マンドレル支持体のつまみヘッドを回転することができないようにしたねじ付きリベットかしめ工具を得るにある。
【課題を解決するための手段】
【００１１】
この目的を達成するため、本考案ねじ付きリベットかしめ工具は、マンドレル支持体のつまみヘッドを断面が非円形の形状のものとし、工具本体の後部開口も前記非円形形状より僅かに大きい相似形状に形成し、ばね力に抗して操作レバーを回転させない無負荷初期状態では、案内スリーブとともにつまみヘッドの大部分が後部開口を経て前記工具本体内に引き込まれた状態となり、ばね力に抗して操作レバーのほぼ全行程にわたり回転させたときのみ、つまみヘッド全体が後部開口から抜け出るようにしたことを特徴とする。
【考案の効果】
【００１２】
この構成により、操作レバーをほぼ全行程にわたり回転させる、即ち、工具本体に対して十分引き絞って十分なかしめを生ずるまでは、非円形形状のつまみヘッドの一部が後部開口から抜け出ないため、つまみヘッドを回転することができず、ねじ付きリベットから外れることを防止する。
【考案を実施するための最良の形態】
【００１３】
活線（通電）状態で感電の恐れがある現場で使用することができるようにするため、本考案の好適な実施例においては、工具本体、操作レバー及びつまみヘッドをフッ素樹脂コーティングする。
【００１４】
次に、図面につき本考案の好適な実施例を説明する。
【実施例】
【００１５】
図３は、本考案の好適な実施例のねじ付きリベットかしめ工具２１を示す。このねじ付きリベットかしめ工具２１の工具本体２の内部には、上部及び前方ノーズ部７にかけて、図４の（ａ）に示すような案内スリーブ１３を軸線方向に摺動自在に配置する。この案内スリーブ１３の中間部分において、互いに直径方向に対向する側面に平坦面１４を生ずるように１対の溝１５を形成する。これら１対の溝１５には、操作レバー３の上方端部の二股フィンガ（図示せず）を掛合させ、操作レバー３に対するばね負荷により、平素は案内スリーブ１３が前方ノーズ部７に向かって前進する方向に押圧されるようにする。
【００１６】
案内スリーブ１３の内部には、マンドレル支持体５を案内スリーブ１３に対して相対回転自在に収容する。本考案によれば、マンドレル支持体の後端に設けるつまみヘッド１６を、従来のようなローレットを刻んだほぼ円形断面のつまみヘッドにはせず、断面が非円形の形状、例えば、図４（ｄ）に示すような、偏平なほぼ六角形の形状にする。
【００１７】
操作レバー３に力を加えない無負荷状態では、図３（ａ）に示すように、このつまみヘッド１６は、この断面形状よりも僅かに大きい相似形の後部開口１７から抜け出ないようにする。図３（ｂ）に示すように、ばね力に抗して操作レバー３のほぼ全行程程にわたり操作レバー３を回転させたときのみ、つまみヘッド１６の全体が後部開口１７から抜け出るようにする。
【００１８】
初期の無負荷状態から操作レバー３のほぼ全行程にわたり回転させるまでは、つまみヘッド１６を案内スリーブ１３に対して回転させることができない。従って、雄ねじ付きマンドレル４を回転させることができない。ばね力に抗して操作レバー３をほぼ全工程にわたり回転させたときのみ、雄ねじ付きマンドレル４を伴うマンドレル支持体５のつまみヘッド６を回転し、かしめたねじ付きリベット８から取り外すことができる。
【００１９】
本考案によれば、かしめ不十分な状態では、ねじ付きリベット８から雄ねじ付きマンドレル４を外すことはできなくなる。従って、ねじ付きリベット８を適用プレートに対して強固に固着することが確実になる。
【００２０】
好適には、工具本体２、操作レバー３及びつまみヘッド１６をフッ素樹脂コーティングする。この構成によれば、活線（通電）状態で感電の恐れがある現場の適用プレートにねじ付きリベット８を固着する作業で安全に使用することができる。
【産業上の利用可能性】
【００２１】
本考案は、電業、電設、建設、建築業界においてプレート裏面にナットを固定したい現場で使用することができる。
【図面の簡単な説明】
【００２２】
【図１】従来のねじ付きリベットかしめ工具の分解斜視図である。
【図２】ねじ付きリベットかしめ工具の使用状況の初期段階の説明図であり、（ａ）は適用プレートの取付孔にねじ付きリベットをセットした状態を示す一部断面とする側面図、（ｂ）は操作レバーを回転させたときの状態を示す一部断面とする側面図、（ｃ）はかしめたねじ付きリベットから雄ねじ付きマンドレルを外した状態を示す一部断面とする側面図、（ｄ）適用プレートに固定したねじ付きリベットに対して被取付物を固定するときの状況を示す一部断面とする側面図である。
【図３】（ａ）は本考案の好適な実施例のねじ付きリベットかしめ工具の初期状態を示す側面図、（ｂ）は操作レバーを全行程にわたり回転したときの側面図である。
【図４】（ａ）は案内スリーブの側面図、（ｂ）は案内スリーブの端面図、（ｃ）は雄ねじ付きマンドレルを装着した本考案によるマンドレル支持体の実施例の側面図、（ｄ）は本考案によるマンドレル支持体の実施例のつまみヘッド及び後部開口の輪郭を示す説明図である。
【符号の説明】
【００２３】
１  ねじ付きリベットかしめ工具（従来例）
２  工具本体
３  操作レバー
４  雄ねじ付きマンドレル
５  マンドレル支持体
６  つまみヘッド
７  前方ノーズ部
８  ねじ付きリベット
９  適用プレート
１０  取付孔
１１  被取付物
１２  ボルトまたはねじ
１３  案内スリーブ
１４  平坦面
１５  溝
１６  つまみヘッド（本考案）
１７  後部開口
２１  ねじ付きリベットかしめ工具（本考案）
【図１】
0003103654.tif 000003
【図２】
0003103654.tif 000004
【図３】
0003103654.tif 000005
【図４】
0003103654.tif 000006